(57)【要約】【課題】持ち上げることが容易であり、かつ異物が内部に入ることを抑制できる箱および箱用シートを提供する。【解決手段】第１の方向Ｘへ連続する複数の側板２０および糊代板５０、並びに、第１の方向Ｘと直交する第２の方向Ｙへ側板２０から連続する上蓋板３０および下蓋板４０を有する箱１０であって、側板２０は、糊代板５０に連続する第１の側板２０Ａと、糊代板５０が接合される第２の側板２０Ｂとを有し、第２の側板２０Ｂは、糊代板５０に接合される接合部６０と、糊代板５０の一部を露出させる開口部２３とを有し、接合部６０は、開口部２３に対して第１の方向Ｘの第１の側板２０Ａから離れる側に位置する第１の接合部６１と、開口部２３に対して第２の方向Ｙの一方側に位置する第２の接合部６２と、を有し、第１の接合部６１および第２の接合部６２は、開口部２３の周囲を連続して囲んでいる。【選択図】図５
2019151381.tif 000002
【特許請求の範囲】
【請求項１】
第１の方向へ連続する複数の側板および糊代板、並びに、前記第１の方向と直交する第２の方向へ前記側板から連続する蓋板を有する箱用シートを折り曲げて直方体状に形成される箱であって、
前記側板は、前記糊代板に連続する第１の側板と、前記糊代板が接合される第２の側板と、を有し、
前記蓋板は、前記第１の側板から前記第２の方向へ連続する少なくとも１つの第１の蓋板と、前記第２の側板から前記第２の方向へ連続する少なくとも１つの第２の蓋板を有し、
前記第２の側板は、前記糊代板の外面に重なって接合される接合部と、前記糊代板の一部を露出させることが可能な開口部と、を有し、
前記接合部は、前記糊代板に接合される面において、前記開口部に対して前記第１の方向の前記第１の側板から離れる側に位置する第１の接合部と、前記開口に対して前記第２の方向の一方側に位置する第２の接合部と、を有し、
前記第１の接合部および第２の接合部は、前記開口部の周囲の少なくとも一部を連続して囲んでいることを特徴とする箱。
【請求項２】
前記接合部は、前記糊代板に接合される面において、前記開口に対して前記第２の方向の前記第２の接合部が設けられる側の反対側に第３の接合部をさらに有し、
前記第２の接合部、第１の接合部および第３の接合部は、当該順番で前記開口部の周囲の少なくとも一部を連続して囲んでいることを特徴とする請求項１に記載の箱。
【請求項３】
前記接合部は、前記糊代板に接合される面において、前記開口部の周囲の全体を連続して囲んでいることを特徴とする請求項１または２に記載の箱。
【請求項４】
前記糊代板は、前記開口部から露出し、前記糊代板を構成するシートの表面よりも摩擦抵抗が大きい滑り止め部を有することを特徴とする請求項１〜３のいずれか１項に記載の箱。
【請求項５】
前記滑り止め部は、前記接合部および糊代板を接合する接着剤と一体的に形成されていることを特徴とする請求項１〜４のいずれか１項に記載の箱。
【請求項６】
前記糊代板は、前記第２の側板に接合される本体糊代部と、前記第２の蓋板に接合される蓋板糊代部と、を有することを特徴とする請求項１〜５のいずれか１項に記載の箱。
【請求項７】
前記開口部は、前記第２の側板および前記第２の蓋板の境界から離れて位置していることを特徴とする請求項１〜６のいずれか１項に記載の箱。
【請求項８】
前記開口部は、開閉可能または切り離し可能な窓板を有することを特徴とする請求項１〜７のいずれか１項に記載の箱。
【請求項９】
前記請求項１〜８のいずれか１項に記載の箱の前記糊代板を前記接合部に接合して組み立てる前の箱用シート。
【発明の詳細な説明】
【技術分野】
【０００１】
本発明は、箱および箱用シートに関する。
【背景技術】
【０００２】
従来より、物品を梱包するために、シートを折り曲げて形成した箱が用いられている。箱としては、特に、段ボール箱が挙げられる。
【０００３】
段ボール箱を手で持ち運び易くするために、段ボール箱の側板に、打ち抜き状の開口を設けることがある。しかしながら、側板に開口があると、この開口から段ボール箱の内部に、塵埃、水、虫などが入る可能性がある。このため、特許文献１には、側板に開口を設けずに、底面で重なる内フラップおよび外フラップの外フラップに開口を形成した段ボール箱が記載されている。外フラップの開口の内側には内フラップがあるため、開口が段ボール箱の内部に貫通しない。使用者は、段ボール箱の底面の開口に指を引っ掛けることで、段ボール箱を容易に搬送することができる。
【先行技術文献】
【特許文献】
【０００４】
【特許文献１】特開２００６−８１８４号公報
【発明の概要】
【発明が解決しようとする課題】
【０００５】
特許文献１に記載の段ボール箱は、底面に開口が形成されているため、段ボール箱を床からの持ち上げるまでは、開口に指を引っ掛けられない。したがって、底面と床の間に手を差し入れる際には、爪に剥がれや割れが生じたり、底面と床の間に指が挟まる可能性がある。また、軍手を使用する場合には、指を保護することができるが、滑りやすくなる。さらに、軍手によって指の周囲が太くなるため、底面と床の隙間に手を差し入れることが困難となる。
【０００６】
本発明は、上述した課題を解決するためになされたものであり、持ち上げることが容易であり、かつ異物が内部に入ることを抑制できる箱および箱用シートを提供することを目的とする。
【課題を解決するための手段】
【０００７】
上記目的を達成する本発明に係る箱は、第１の方向へ連続する複数の側板および糊代板、並びに、前記第１の方向と直交する第２の方向へ前記側板から連続する蓋板を有する箱用シートを折り曲げて直方体状に形成される箱であって、前記側板は、前記糊代板に連続する第１の側板と、前記糊代板が接合される第２の側板と、を有し、前記蓋板は、前記第１の側板から前記第２の方向へ連続する少なくとも１つの第１の蓋板と、前記第２の側板から前記第２の方向へ連続する少なくとも１つの第２の蓋板を有し、前記第２の側板は、前記糊代板の外面に重なって接合される接合部と、前記糊代板の一部を露出させることが可能な開口部と、を有し、前記接合部は、前記糊代板に接合される面において、前記開口部に対して前記第１の方向の前記第１の側板から離れる側に位置する第１の接合部と、前記開口に対して前記第２の方向の一方側に位置する第２の接合部と、を有し、前記第１の接合部および第２の接合部は、前記開口部の周囲の少なくとも一部を連続して囲んでいることを特徴とする。
【０００８】
上記目的を達成する本発明に係る箱用シートは、前記箱の前記糊代板を前記接合部に接合して組み立てる前の箱用シートである。
【発明の効果】
【０００９】
上記のように構成した箱および箱用シートは、糊代板の外面に重なる第２の側板に開口部が設けられるため、開口部と糊代板の段差に指を引っ掛けて、箱の蓋板と床面の間に隙間を形成し、若しくは、蓋板と床面の接触を緩和できる。このため、使用者は、蓋板と床面の間に、指を容易に差し込むことができる。したがって、使用者は、指や爪を傷つけることなく、箱を容易に持ち上げることができる。さらに、箱の開口部が、糊代板と第２の側板の隙間を介して箱の内部に連通しない。このため、異物が開口部から箱の内部に入ることを抑制できる。
【００１０】
前記接合部は、前記糊代板に接合される面において、前記開口に対して前記第２の方向の前記第２の接合部が設けられる側の反対側に第３の接合部を有し、前記第２の接合部、第１の接合部および第３の接合部は、当該順番で前記開口部の周囲の少なくとも一部を連続して囲んでいてもよい。これにより、接合部が、開口部の周囲を広い範囲で連続して囲んでいるため、異物が開口部から箱の内部に入ることを、より確実に抑制できる。
【００１１】
前記接合部は、前記糊代板に接合される面において、前記開口部の周囲の全体を連続して囲んでいてもよい。これにより、第２の側板の強度が、開口部の存在により大きく低下することを抑制できる。また、接合部が、開口部の周囲の全体を連続して囲んでいるため、異物が開口部から箱の内部に入ることを、より確実に抑制できる。
【００１２】
前記糊代板は、前記開口部から露出し、前記糊代板を構成するシートの表面よりも摩擦抵抗が大きい滑り止め部を有してもよい。これにより、開口部に引っ掛けた指が滑ることを抑制でき、使用者が、箱を良好に持ち上げることができる。
【００１３】
前記滑り止め部は、前記接合部および糊代板を接合する接着剤と一体的に形成されていてもよい。これにより、接着剤の材料を利用して、開口部から露出する滑り止め部を、容易に形成できる。
【００１４】
前記糊代板は、前記第２の側板に接合される本体糊代部と、前記第２の蓋板に接合される蓋板糊代部と、を有してもよい。これにより、糊代板は、第２の側板および第２の蓋板の両方に接合される。したがって、箱の強度を高めることができる。また、開口部に対して第２の方向の両側に位置する第２の接合部および／または第３の接合部を、第２の蓋板に形成できるため、開口部を、第２の蓋板の近くに配置できる。このため、開口部に指を引っ掛けて箱を持ち上げた後、その指を箱の底面の下側に差し込むことが容易となる。
【００１５】
前記開口部は、前記第２の側板および第２の蓋板の境界から離れて位置してもよい。これにより、箱は、圧縮強度が高まり、繰り返し使用しても破損し難くなる。
【００１６】
前記開口部は、開閉可能または切り離し可能な窓板を有してもよい。これにより、使用者は、箱を持ち上げる前に、窓板を開く、または切り離すことができる。このため、箱を使用する前に、異物が開口部に入ることを抑制できる。
【図面の簡単な説明】
【００１７】
【図１】本実施形態に係る箱を示す斜視図である。
【図２】箱シートを組み立てた状態を示す斜視図である。
【図３】箱シートを示す平面図である。
【図４】糊代板および接合部を拡大して示す斜視図である。
【図５】糊代板および接合部を接合した状態を拡大して示す斜視図である。
【図６】箱の蓋板を閉じた状態を拡大して示す斜視図である。
【図７】箱の第１の変形例を示す斜視図であり、（Ａ）は窓板を取り除く前の状態、（Ｂ）は窓板を取り除いた状態を示す。
【図８】箱の第２の変形例を示す斜視図であり、（Ａ）は窓板を開く前の状態、（Ｂ）は窓板を開いた状態を示す。
【図９】箱の変形例を示す平面図であり、（Ａ）は第３の変形例、（Ｂ）は第４の変形例、（Ｃ）は第５の変形例を示す。
【発明を実施するための形態】
【００１８】
以下、図面を参照して、本発明の実施の形態を説明する。なお、図面の大きさおよび寸法比率は、説明の都合上、誇張されて実際の大きさおよび比率とは異なる場合がある。また、本明細書における「上」および「下」の表現は、説明の便宜のために用いるものであり、箱の構成および使用状態を限定するものではない。
【００１９】
本実施形態に係る箱１０は、図１、２に示すように、略直方体形状であり、物品を収容できる段ボール箱である。箱１０は、図３に示すように、平板状の箱用シート１１を、折り曲げて形成される。箱用シート１１は、波状に加工した紙である中芯の少なくとも一方面に、平板状の紙であるライナーを接着した段ボールシートにより形成される。なお、箱１０は、段ボールシート以外のシートにより形成されてもよい。また、箱１０の構成材料は、紙に限定されず、例えばポリプロピレン等の樹脂であってもよい。
【００２０】
箱１０は、図１〜３に示すように、４枚の側板２０と、各々の側板２０の上側に連続する上蓋板３０と、各々の側板２０の下側に連続する下蓋板４０と、側板２０の１つから連続する糊代板５０とを有している。
【００２１】
側板２０は、略直方体の収容空間を囲むように並ぶ第１の側板２０Ａ、第２の側板２０Ｂ、第３の側板２０Ｃおよび第４の側板２０Ｄを有している。４つの側板２０は、全て長方形であるが、正方形であってもよい。収容空間を挟んで対向する第１の側板２０Ａおよび第３の側板２０Ｃは、平行であり、同一形状を備えている。収容空間を挟んで対向する第２の側板２０Ｂおよび第４の側板２０Ｄは、平行であり、同一形状を備えている。なお、第１の側板２０Ａおよび第３の側板２０Ｃの形状と、第２の側板２０Ｂおよび第３の側板２０Ｃの形状は、同一であっても、異なってもよい。すなわち、箱１０は、上方から観察して、正方形であっても、長方形であってもよい。
【００２２】
組み立てる前の箱用シート１１において、図３に示すように、第２の側板２０Ｂ、第３の側板２０Ｃ、第４の側板２０Ｄおよび第１の側板２０Ａは、第１の方向Ｘへ一列に並んでいる。４つの側板２０Ｂ〜２０Ｄ、２０Ａの第１の方向Ｘと直交する方向Ｙの長さは、等しい。第２の側板２０Ｂおよび第４の側板２０Ｄの、第１の方向Ｘの長さは、等しい。また、第３の側板２０Ｃおよび第１の側板２０Ａの第１の方向Ｘの長さは、等しい。なお、第１の方向Ｘは、箱１０の一般的な使用状態において、水平方向と一致する。また、第２の方向Ｙは、箱１０の一般的な使用状態において、鉛直方向と一致する。
【００２３】
第２の側板２０Ｂの第３の側板２０Ｃと接続される側の反対側には、第２の側縁２２が形成されている。第１の側板２０Ａの第４の側板２０Ｄと接続される側の反対側には、第１の側縁２１が形成されている。第１の側縁２１と第２の側縁２２は、箱用シート１１の第１の方向Ｘの反対側に位置している。
【００２４】
上蓋板３０は、図１〜３に示すように、第１の側板２０Ａの上側に連続する第１の上蓋板３０Ａと、第２の側板２０Ｂの上側に連続する第２の上蓋板３０Ｂと、第３の側板２０Ｃの上側に連続する第３の上蓋板３０Ｃと、第４の側板２０Ｄの上側に連続する第４の上蓋板３０Ｄとを有している。４つの上蓋板３０Ａ〜３０Ｄの各々は、側板２０と連結される側の反対側に、上縁３１を有している。４つの上蓋板３０Ａ〜３０Ｄは、図１に示すように、側板２０に対して９０度に折り曲げられることで、箱１０の収容空間の上側を密封する。４つの上蓋板３０のうち、対向する２つの上蓋板３０が、箱１０の内側に配置される内側フラップとなり、他の対向する２つの上蓋板３０が、収容箱の外側に配置される外側フラップとなる。図１では、第２の上蓋板３０Ｂおよび第４の上蓋板３０Ｄが、外側に配置されて、内側の第１の上蓋板３０Ａおよび第３の上蓋板３０Ｃに重なっている。外側に配置される第２の上蓋板３０Ｂおよび第４の上蓋板３０Ｄは、側板２０に対して９０度に折り曲げられた状態で、その上縁３１同士が突き当たる。これにより、第２の上蓋板３０Ｂおよび第４の上蓋板３０Ｄは、箱１０の収容空間の上側を密封できる。なお、内側に配置される第１の上蓋板３０Ａおよび第３の上蓋板３０Ｃが、側板２０に対して９０度に折り曲げられた状態で、その上縁３１同士が突き当たってもよい。この場合、第１の上蓋板３０Ａおよび第３の上蓋板３０Ｃは、第２の上蓋板３０Ｂおよび第４の上蓋板３０Ｄの外側に配置されてもよい。
【００２５】
下蓋板４０は、図２、３に示すように、第１の側板２０Ａの下側に連続する第１の下蓋板４０Ａと、第２の側板２０Ｂの下側に連続する第２の下蓋板４０Ｂと、第３の下蓋板４０Ｃの下側に連続する第３の下蓋板４０Ｃと、第４の側板２０Ｄの下側に連続する第４の下蓋板４０Ｄとを有している。４つの下蓋板４０Ａ〜４０Ｄの各々は、側板２０と連結される側の反対側に、下縁４１を有している。４つの下蓋板４０Ａ〜４０Ｄは、側板２０に対して９０度に折り曲げられることで、箱１０の収容空間の下側を密封する。４つの下蓋板４０のうち、対向する２つの下蓋板４０が、箱１０の内側に配置される内側フラップとなり、他の対向する２つの下蓋板４０が、箱１０の外側に配置される外側フラップとなる。図６では、第２の下蓋板４０Ｂおよび第４の下蓋板４０Ｄが、外側に配置されて、内側の第１の下蓋板４０Ａおよび第３の下蓋板４０Ｃに重なっている。外側に配置される第２の下蓋板４０Ｂおよび第４の下蓋板４０Ｄは、側板２０に対して９０度に折り曲げられた状態で、その下縁４１同士が突き当たる。これにより、第２の下蓋板４０Ｂおよび第４の下蓋板４０Ｄは、箱１０の収容空間の下側を密封できる。なお、内側に配置される第１の下蓋板４０Ａおよび第３の下蓋板４０Ｃが、側板２０に対して９０度に折り曲げられた状態で、その下縁４１同士が突き当たってもよい。この場合、第１の下蓋板４０Ａおよび第３の下蓋板４０Ｃが、第２の下蓋板４０Ｂおよび第４の下蓋板４０Ｄの外側に配置されてもよい。
【００２６】
糊代板５０は、図３に示すように、組み立てる前の箱用シート１１において、第１の方向Ｘへ一列に並ぶ側板２０の端部に位置する第１の側板２０Ａから、第１の方向Ｘに並んで設けられる。糊代板５０は、第１の側板２０Ａの第１の側縁２１から連続する本体糊代部５１と、本体糊代部５１の上側に連続する上蓋板糊代部５２と、本体糊代部５１の下側に連続する下蓋板糊代部５３とを備えている。
【００２７】
本体糊代部５１の外面は、図４、５に示すように、第２の側板２０Ｂの第２の側縁２２側の縁部に設けられる接合部６０の内面に接合される部位である。なお、内面とは、箱１０の内側、すなわち収容空間側の面である。外面とは、箱１０の外側の面である。本体糊代部５１の第１の方向Ｘの長さは、第２の側板２０Ｂの第１の方向Ｘの長さよりも短い。本体糊代部５１の第２の方向Ｙの長さは、第２の側板２０Ｂの第２の方向Ｙの長さと略一致する。
【００２８】
上蓋板糊代部５２の外面は、第２の上蓋板３０Ｂの縁部に設けられる接合部６０の内面に接合される部位である。上蓋板糊代部５２の第１の方向Ｘの長さは、第２の上蓋板３０Ｂの第１の方向Ｘの長さよりも短い。上蓋板糊代部５２の第２の方向Ｙの長さは、第２の上蓋板３０Ｂの第２の方向Ｙの長さよりも短い。
【００２９】
下蓋板糊代部５３の外面は、第２の下蓋板４０Ｂの縁部に設けられる接合部６０の内面に接合される部位である。下蓋板糊代部５３の第１の方向Ｘの長さは、第２の下蓋板４０Ｂの第１の方向Ｘの長さよりも短い。下蓋板糊代部５３の第２の方向Ｙの長さは、第２の下蓋板４０Ｂの第２の方向Ｙの長さよりも短い。
【００３０】
第２の側板２０Ｂ、第２の上蓋板３０Ｂおよび第２の下蓋板４０Ｂは、第２の側縁２２側の縁部の内面に、糊代板５０が接合される接合部６０を有している。また、第２の側板２０Ｂは、その下方の位置、すなわち第２の下蓋板４０Ｂの近傍に、内面から外面へ貫通する開口部２３が形成されている。本実施形態において、開口部２３の下側の縁部は、第２の側板２０Ｂと第２の下蓋板４０Ｂの境界よりも上側に位置している。なお、開口部２３の位置は、第２の側板２０Ｂの下方の位置に限定されない。開口部２３の形状は、略四角形であるが、特に限定されず、例えば円形、楕円形等であってもよい。
【００３１】
接合部６０は、糊代板５０と接する面において、開口部２３を囲む第１の接合部６１、第２の接合部６２、第３の接合部６３および第４の接合部６４を備えている。第１の接合部６１は、開口部２３に対して第２の側縁２２の反対側に位置している。第４の接合部６４は、開口部２３と第２の側縁２２の間に位置している。第１の接合部６１および第４の接合部６４は、第１の方向Ｘに沿って、開口部２３を挟んでいる。第２の接合部６２は、開口部２３よりも上側に位置している。第３の接合部６３は、開口部２３よりも下側に位置している。第２の接合部６２および第３の接合部６３は、第２の方向Ｙに沿って開口部２３を挟んでいる。第２の接合部６２は、第２の側板２０Ｂから第２の上蓋板３０Ｂにわたって形成されている。開口部２３の上端は、第２の側板２０Ｂおよび第２の上蓋板３０Ｂの境界よりも下側に位置している。すなわち、開口部２３の上側に、第２の側板２０Ｂの一部が存在している。また、開口部２３の下端は、第２の側板２０Ｂおよび第２の下蓋板４０Ｂの境界よりも上側に位置している。すなわち、開口部２３の下側に、第２の側板２０Ｂの一部が存在している。このため、箱１０は、第２の方向Ｙ（鉛直方向）の力に対する十分な圧縮強度を維持できる。
【００３２】
第１の接合部６１および第４の接合部６４は、第２の側板２０Ｂに形成されている。第２の接合部６２は、第２の側板２０Ｂから第２の上蓋板３０Ｂにわたって形成されている。第３の接合部６３は、第２の側板２０Ｂから第２の下蓋板４０Ｂにわたって形成されている。第１の接合部６１、第２の接合部６２、第３の接合部６３および第４の接合部６４は、開口部２３の周囲を隙間なく連続して囲んでいる。
【００３３】
接合部６０および糊代板５０の接する面は、接着剤５４（図４の斜線による網掛け部を参照）により接合される。接着剤５４は、接合部６０および糊代板５０の接する面の全体に、隙間なく塗布されることが好ましいが、これに限定されない。糊代板５０の開口部２３から露出する位置には、滑り止めとして機能する滑り止め部５５が形成される。滑り止め部５５は、糊代板５０を構成するシートの表面よりも、摩擦抵抗が大きい。滑り止め部５５は、例えば酢酸ビニル系樹脂、オレフィン系樹脂、ポリアミド系樹脂、アクリル系樹脂、塩化ビニル樹脂、ウレタン樹脂、エポキシ樹脂、合成ゴム等の層である。滑り止め部５５は、糊代部の開口部２３から露出する面の全体に形成されてもよく、または一部に形成されてもよい。したがって、例えば、滑り止め部５５は、複数の線状の層や、ドット状の層であってもよい。また、滑り止め部５５は、接合部６０および糊代板５０を接合する接着剤５４の一部であってもよい。また、滑り止め部５５は、設けられなくてもよい。
次に、本実施形態の箱１０の作用を説明する。
【００３４】
箱１０は、図３に示す箱用シート１１を折り曲げた後、図４、５に示すように、接合部６０と糊代板５０を接着剤５４により接合されて形成される。このとき、滑り止め部５５は、開口部２３から露出する。使用者は、図１、６に示すように、４つの下蓋板４０Ａ〜４０Ｄを、側板２０に対して９０度に折り曲げられることで、箱１０の収容空間の下側を密封する。収容空間の下側を密封する際には、使用者は、例えば、内フラップとなる第１の下蓋板４０Ａおよび第３の下蓋板４０Ｃの外面と、外フラップとなる第２の下蓋板４０Ｂおよび第４の下蓋板４０Ｄの内面とを接着する。または、使用者は、収容空間の下側を密封する際に、粘着テープやステープラ等を用いてもよい。
【００３５】
箱１０の底面が密封されると、使用者は、物品を、箱１０の上側から箱１０の内部に収容できる。この後、使用者は、４つの上蓋板３０Ａ〜３０Ｄを、側板２０に対して９０度に折り曲げられることで、箱１０の収容空間の上側を密封する。収容空間の上側を密封する際には、使用者は、例えば、内フラップとなる第１の上蓋板３０Ａおよび第３の上蓋板３０Ｃの外面と、外フラップとなる第２の上蓋板３０Ｂおよび第４の上蓋板３０Ｄの内面とを接着する。または、使用者は、収容空間の上側を密封する際に、粘着テープやステープラ等を用いてもよい。
【００３６】
使用者は、収容物を梱包した箱１０を運ぶ際には、指を開口部２３に差し込み、開口部２３に指を引っ掛けて、箱１０を床面から持ち上げる。このとき、開口部２３と糊代板５０の間に段差があるため、使用者の指は、段差に引っ掛かり、箱１０に対して滑り難い。このため、使用者は、開口部２３の段差を利用して、箱１０を容易に持ち上げることができる。さらに、開口部２３の内部に滑り止め部５５が設けられれば、使用者の指は、箱１０に対して滑り難い。このため、使用者は、滑り止め効果の高い滑り止め部５５に指を押し当て、箱１０を容易に持ち上げることができる。次に、使用者は、箱１０を持ち上げることで生じた箱１０の底面と床の隙間に、両手を差し入れる。この後、使用者は、箱１０の下蓋板４０および側板２０を保持して、箱１０を容易に持ち上げて搬送できる。
【００３７】
以上のように、本実施形態に係る箱１０は、第１の方向Ｘへ連続する複数の側板２０および糊代板５０、並びに、第１の方向Ｘと直交する第２の方向Ｙへ側板２０から連続する蓋板を有する箱用シート１１を折り曲げて直方体状に形成される箱１０であって、側板２０は、糊代板５０に連続する第１の側板２０Ａと、糊代板５０が接合される第２の側板２０Ｂと、を有し、蓋板は、第１の側板２０Ａから第２の方向Ｙへ連続する第１の上蓋板３０Ａおよび第１の下蓋板４０Ａと、第２の側板２０Ｂに対して第２の方向Ｙへ連続する第２の上蓋板３０Ｂおよび第２の下蓋板４０Ｂを有し、第２の側板２０Ｂは、糊代板５０の外面に重なって接合される接合部６０と、糊代板５０の一部を露出させることが可能な開口部２３と、を有し、接合部６０は、糊代板５０に接合される面において、第１の方向Ｘへ開口部２３に対して第１の側板２０Ａから離れる側に位置する第１の接合部６１と、開口部２３に対して第２の方向Ｙの一方側に位置する第２の接合部６２と、を有し、第１の接合部６１および第２の接合部６２は、開口部２３の周囲の少なくとも一部を連続して囲んでいる。
【００３８】
上記のように構成した箱１０は、糊代板５０の外面に重なる第２の側板２０Ｂに開口部２３が設けられるため、開口部２３の段差に指を引っ掛けて、箱１０を容易に持ち上げることができる。これにより、下蓋板４０と床面の間に隙間が形成され、若しくは、下蓋板４０と床面の接触が緩和される。このため、使用者は、ある程度持ち上げられた、若しくは床面に強く接触していない下蓋板４０と床面の間に、指を容易に差し込むことができる。したがって使用者は、指や爪を傷つけることなく、箱１０を容易に持ち上げることができる。また、開口部２３に引っ掛ける指は、箱１０の内部に入り込まないため、箱１０に収容された物品の詰まり具合に関わらず、指を開口部２３に引っ掛けることができる。また、箱１０の表面は、滑り止め用のコーティング剤を塗布する必要がないため、汚れが付着し難くなるとともに、コストを低減できる。また、箱１０に開口部２３が設けられることで、使用者は、使用後の箱１０を、開口部２３から容易に破壊できる。
【００３９】
また、箱１０の開口部２３は、糊代板５０と第２の側板２０Ｂの隙間を介して箱１０の内部空間に連通しない。図６に示すように、開口部２３から箱１０の内部への経路として、第１の経路Ｒ１と、第２の経路Ｒ２と、第３の経路Ｒ３とが想定される。第１の経路Ｒ１は、開口部２３から、第１の方向Ｘに沿って第３の側板２０Ｃ側へ向かう経路である。しかしながら、第１の経路Ｒ１は、第１の接合部６１によって塞がれている。第２の経路Ｒ２は、開口部２３から、第２の方向Ｙに沿って上側へ向かう経路である。しかしながら、第２の経路Ｒ２は、第２の接合部６２によって塞がれている。第３の経路Ｒ３は、開口部２３から、第２の方向Ｙに沿って下側へ向かう経路である。そして、第１の接合部６１および第２の接合部６２は、隙間なく連続している。これにより、開口部２３から、内部空間に連通する経路は少ない。このため、虫、水および塵埃などの異物が、側板２０に設けられる開口部２３から箱１０の内部に入ることを抑制できる。したがって、例えば医療器具のような汚染が許されない物品を収容する場合に、当該箱１０は特に有効である。また、箱１０の内部が汚染され難いため、箱１０を繰り返し使用することができ、コストを削減できる。また、箱１０は、開口部２３のない通常の梱包箱と比較して、大きな形状の変化がない。このため、箱１０は、通常の梱包箱と比較して、材料のコストを変えずに、有効な効果を発揮できる。また、開口部２３は、側板２０の１つである第２の側板２０Ｂに形成されるため、例えば箱１０を積み重ねる際に、向きを揃える標識に利用できる。
【００４０】
また、接合部６０は、糊代板５０に接合される面において、開口部２３に対して第２の方向Ｙの第２の接合部６２が設けられる側の反対側に第３の接合部６３をさらに有し、第２の接合部６２、第１の接合部６２および第３の接合部６３は、当該順番で開口部２３の周囲の少なくとも一部を連続して囲んでいる。このため、開口部２３から箱１０の内部へ向かう第３の経路Ｒ３は、第３の接合部６３によって塞がれる。したがって、開口部２３から箱１０の内部への経路である第１の経路Ｒ１、第２の経路Ｒ２、および第３の経路Ｒ３の全てが、第１の接合部６１、第２の接合部６２および第３の接合部６３によって塞がれている。そして、第２の接合部６２、第１の接合部６１および第３の接合部６３は、この順番で隙間なく連続している。これにより、開口部２３から、内部空間に連通する経路は存在しない。このため、虫、水および塵埃などの異物が、側板２０に設けられる開口部２３から箱１０の内部に入ることを、より確実に抑制できる。
【００４１】
また、接合部６０は、糊代板５０に接合される面において、開口部２３の周囲の全体を連続して囲んでいる。これにより、第２の側板２０Ｂの強度が、開口部２３の存在により大きく低下することを抑制できる。また、接合部６０が、開口部２３の周囲の全体を連続して囲んでいるため、異物が開口部２３から箱１０の内部に入ることを、より確実に抑制できる。
【００４２】
また、糊代板５０は、開口部２３から露出し、糊代板５０を構成するシートの表面よりも摩擦抵抗が大きい滑り止め部５５を有してもよい。これにより、開口部２３に引っ掛けた指が滑ることを抑制でき、使用者が、箱１０を良好に持ち上げることができる。
【００４３】
また、滑り止め部５５は、接合部６０および糊代板５０を接合する接着剤５４と一体的に形成されてもよい。これにより、接着剤５４の材料を利用して、開口部２３から露出する滑り止め部５５を、容易に形成できる。
【００４４】
また、糊代板５０は、第２の側板２０Ｂに接合される本体糊代部５１と、第２の上蓋板３０Ｂに接合される上蓋板糊代部５２と、第２の下蓋板４０Ｂに接合される下蓋板糊代部５３と、を有する。これにより、糊代板５０が、第２の側板２０Ｂ、第２の上蓋板３０Ｂおよび第２の下蓋板４０Ｂに接合される。したがって、箱１０の強度を高めることができる。また、開口部２３よりも第２の方向Ｙに位置する第３の接合部６３を、第２の下蓋板４０Ｂに形成できるため、開口部２３を、第２の下蓋板４０Ｂの近くに配置できる。このため、開口部２３に指を引っ掛けて箱１０を持ち上げた後、その指を箱１０の底面の下側に差し込むことが容易となる。したがって、使用者は、箱１０を容易に持ち上げることができる。
【００４５】
また、開口部２３は、第２の側板２０Ｂと第２の上蓋板３０Ｂの境界、および第２の側板２０Ｂと第２の下蓋板４０Ｂの境界から離れて位置している。これにより、開口部２３は、第２の側板２０Ｂの、第２の上蓋板３０Ｂおよび第２の下蓋板４０Ｂから離れて配置される。したがって、箱１０は、第２の方向Ｙの圧縮強度が高まり、繰り返し使用しても破損し難くなる。なお、開口部２３の縁部は、第２の側板２０Ｂと第２の上蓋板３０Ｂの境界、または第２の側板２０Ｂと第２の下蓋板４０Ｂの境界に位置してもよい。また、開口部２３は、第２の側板２０Ｂから第２の上蓋板３０Ｂにわたって連続して形成されてもよい。また、開口部２３は、第２の側板２０Ｂから第２の第２の下蓋板４０Ｂにわたって連続して形成されてもよい。
【００４６】
なお、本発明は、上述した実施形態のみに限定されるものではなく、本発明の技術的思想内において当業者により種々変更が可能である。例えば、図７（Ａ）に示す第１の変形例のように、開口部７０は、第２の側板２０Ｂに、切り離し可能な略四角形の窓板７１と、窓板７１の周囲を囲むミシン目７２（複数の切り込み）とを有してもよい。窓板７１は、ミシン目７２に沿って、第２の側板２０Ｂから切り離すことができる。これにより、使用者は、箱１０を持ち上げる前に、図７（Ｂ）に示すように、窓板７１を切り離すことができる。このため、箱１０を使用する前に、異物が開口部７０に入ることを抑制できる。したがって、異物が開口部７０から箱１０の内部に入ることを、より確実に抑制できる。また、箱１０を使用する前に、開口部７０の内部の滑り止め部５５が異物で汚れることを抑制できる。したがって、滑り止め部５５の滑り止め効果が低下することを抑制できる。
【００４７】
また、図８（Ａ）に示す第２の変形例のように、開口部８０は、第２の側板２０Ｂに、開閉可能な略四角形の窓板８１と、窓板８１の周囲の一部を囲む切れ込み８２とを有している。切れ込み８２は、開口部８０の下辺８３および２つの側辺８４を形成することが好ましい。これにより、使用者は、箱１０を持ち上げる前に、図８（Ｂ）に示すように、窓板８１を第２の側板２０Ｂから切り離すことなく、開くことができる。また、切れ込み８２が、開口部８０の下辺８３および側辺８４に形成されるため、窓板８１は、上側に開く。このため、使用者は、窓板８１が開いた状態の開口部８０を利用して箱１０を持ち上げた後、窓板８１に阻害されることなく、開口部８０に位置する指を、箱１０の底面と床の隙間に差し入れることができる。また、窓板８１は、上側へ開くため、重力によって閉じやすい。このため、一旦開いた窓板８１を、再び閉じた状態に維持することが容易である。したがって、開口部８０の内部の滑り止め部５５が異物で汚れることを抑制でき、滑り止め部５５の滑り止め効果の低下を抑制できる。したがって、箱１０は、繰り返し使用できる。
【００４８】
また、図９（Ａ）に示す第３の変形例のように、開口部９０は、複数設けられてもよい。複数の開口部９０は、例えば４つ設けられる。各々の開口部９０には、指を一本ずつ引っ掛けることができる。なお、複数の開口部９０の使用方法は、これに限定されない。複数の開口部９０は、第２の方向Ｙに並んでいるが、配置は限定されない。各々の開口部９０の形状は、円形であるが、これに限定されない。
【００４９】
また、図９（Ｂ）に示す第４の変形例のように、開口部１００は、第２の方向Ｙへ長く形成されてもよい。これにより、複数の指を１つの開口部１００に引っ掛けることが容易となる。開口部１００の第２の方向Ｙの端部は、曲率を有して形成されてもよい。なお、開口部１００が形成される方向は、特に限定されず、例えば第１の方向Ｘへ長く形成されてもよい。
【００５０】
また、図９（Ｃ）に示す第５の変形例のように、接合部１１０は、第１の接合部６１、第２の接合部６２および第３の接合部６３を有すれば、第４の接合部６４を有さなくてもよい。このような接合部１１０であっても、開口部１１１は、糊代板５０と第２の側板２０Ｂの隙間を介して箱１０の内部に連通しない。このため、箱１０は、異物が開口部１１１から箱１０の内部に入ることを抑制できる。
【符号の説明】
【００５１】
１０    箱
１１    箱用シート
２０    側板
２０Ａ    第１の側板
２０Ｂ    第２の側板
２３、７０、８０、９０、１００    開口部
３０    上蓋板（蓋板）
３０Ｂ    第２の上蓋板（第２の蓋板）
４０    下蓋板（蓋板）
４０Ｂ    第２の下蓋板（第２の蓋板）
５０    糊代板
５１    本体糊代部
５２    上蓋板糊代部（蓋板糊代部）
５３    下蓋板糊代部（蓋板糊代部）
５５    滑り止め部
６０、１１０    接合部
６１    第１の接合部
６２    第２の接合部
６３    第３の接合部
６４    第４の接合部
７１、８１    窓板
【図１】
2019151381.tif 000003
【図２】
2019151381.tif 000004
【図３】
2019151381.tif 000005
【図４】
2019151381.tif 000006
【図５】
2019151381.tif 000007
【図６】
2019151381.tif 000008
【図７】
2019151381.tif 000009
【図８】
2019151381.tif 000010
【図９】
2019151381.tif 000011